(57)【特許請求の範囲】
【請求項１】
錠剤を半分に分割する錠剤分割装置であって、
その先端を下方に向けて傾斜した錠剤投入姿勢と、その先端を上方に向けて傾斜した錠剤取り出し姿勢との間を回動可能なベース部と、
前記ベース部の表面に形成された線状の凸部と、
前記ベース部の先端に近づく程互いに近接するとともに、前記線状の凸部に対して線対称となる形状を有する一対のテーパー面を備え、前記凸部が前記凸部上に載置される錠剤の略中央部に配置されるように当該錠剤を案内するための前記ベース部に付設された案内部材と、
前記凸部上に載置された錠剤の少なくとも左右両端部を前記ベース部に向けて押圧するための押圧部と、
前記押圧部を、前記凸部上に載置された錠剤から離隔した待機位置と前記凸部上に載置された錠剤の左右両端部を前記ベース部に向けて押圧する押圧位置との間で移動させる移動機構と、
を備えたことを特徴とする錠剤分割装置。
【請求項２】
請求項１に記載の錠剤分割装置において、
前記ベース部および前記押圧部における錠剤と当接する部分には、弾性部材が配設される錠剤分割装置。
【請求項３】
請求項１または請求項２に記載の錠剤分割装置において、
前記移動機構は、
上下方向に移動可能な移動部材と、
前記移動部材の上端部に配設されたハンドル部材と、
前記移動部材における上下方向の中央部付近において、前記押圧部と当接可能に配設された突起部材と、
前記移動部材を上方に向けて付勢する付勢部材と、
を備える錠剤分割装置。
【請求項４】
請求項３に記載の錠剤分割装置において、
包装材に収納された錠剤を当該包装材から取り出すための錠剤取り出し機構をさらに備える錠剤分割装置。
【請求項５】
請求項４に記載の錠剤分割装置において、
前記錠剤取り出し機構は、
包装材から取り出されるべき錠剤のサイズより大きな孔部が穿設されたテーブルと、
前記移動部材の下端部に配設され、包装材から取り出されるべき錠剤を前記孔部に向けて押圧する押圧部材と、
を備える錠剤分割装置。
【請求項６】
請求項３乃至請求項５のいずれかに記載の錠剤分割装置において、
前記凸部の高さが０．３ｍｍ乃至１．０ｍｍである錠剤分割装置。
【発明の詳細な説明】
【０００１】
【発明の属する技術分野】
この発明は、錠剤を半分に分割するための錠剤分割装置に関する。
【０００２】
【従来の技術】
比較的大きな病院から処方箋を受け取る調剤薬局や比較的小さな病院において錠剤を提供する際に、例えば、被提供者が子供である場合や１錠では過剰となる処方の場合においては、錠剤の提供者が錠剤を分割して提供し、あるいは、錠剤の被提供者が錠剤を摂取する際にこの錠剤を分割する必要が生ずる。このような目的から、錠剤には分割用の割溝が形成されているが、小さな錠剤を正確に分割することは困難であるのが実情である。
【０００３】
このため、錠剤を切り分けるためのカッターを備えた切断装置を利用して錠剤を切断することも考えられる。しかしながら、錠剤をカッター等を利用して切断した場合においては、錠剤における切断部分から錠剤を構成する薬剤が粉状となって発生する。このため、周囲が汚染されるばかりではなく、適量の薬剤を摂取できなくなるという問題も発生する。
【０００４】
一方、特開２００１−１３７３１４号公報や特開２００１−２６９３９０号公報には、錠剤を自動的に分割することができる錠剤分割装置が開示されている。
【０００５】
【発明が解決しようとする課題】
特開２００１−１３７３１４号公報や特開２００１−２６９３９０号公報に記載された錠剤分割装置は、大量の錠剤を自動的に分割するためのものである。このため、小さな医院で錠剤を分割して提供する場合や、錠剤の被提供者が錠剤を摂取する際にこの錠剤を分割する場合においては、このような錠剤分割装置を使用することは実質的に不可能である。
【０００６】
この発明は上記課題を解決するためになされたものであり、簡易な構成でありながら、錠剤の一部を粉状にすることなく正確に分割することが可能な錠剤分割装置を提供することを第１の目的とする。
【０００７】
また、この発明は、分割すべき錠剤を包装材から容易に取り出すことが可能な錠剤取り出し機構を備えた錠剤分割装置を提供することを第２の目的とする。
【０００８】
【課題を解決するための手段】
請求項１に記載の発明は、錠剤を半分に分割する錠剤分割装置であって、その先端を下方に向けて傾斜した錠剤投入姿勢と、その先端を上方に向けて傾斜した錠剤取り出し姿勢との間を回動可能なベース部と、前記ベース部の表面に形成された線状の凸部と、前記ベース部の先端に近づく程互いに近接するとともに、前記線状の凸部に対して線対称となる形状を有する一対のテーパー面を備え、前記凸部が前記凸部上に載置される錠剤の略中央部に配置されるように当該錠剤を案内するための前記ベース部に付設された案内部材と、前記凸部上に載置された錠剤の少なくとも左右両端部を前記ベース部に向けて押圧するための押圧部と、前記押圧部を、前記凸部上に載置された錠剤から離隔した待機位置と前記凸部上に載置された錠剤の左右両端部を前記ベース部に向けて押圧する押圧位置との間で移動させる移動機構とを備えたことを特徴とする。
【０００９】
請求項２に記載の発明は、請求項１に記載の発明において、前記ベース部および前記押圧部における錠剤と当接する部分には、弾性部材が配設される。
【００１０】
請求項３に記載の発明は、請求項１または請求項２に記載の発明において、前記移動機構は、上下方向に移動可能な移動部材と、前記移動部材の上端部に配設されたハンドル部材と、前記移動部材における上下方向の中央部付近において、前記押圧部と当接可能に配設された突起部材と、前記移動部材を上方に向けて付勢する付勢部材とを備えている。
【００１１】
請求項４に記載の発明は、請求項３に記載の発明において、包装材に収納された錠剤を当該包装材から取り出すための錠剤取り出し機構をさらに備えている。
【００１２】
請求項５に記載の発明は、請求項４に記載の発明において、前記錠剤取り出し機構は、包装材から取り出されるべき錠剤のサイズより大きな孔部が穿設されたテーブルと、前記移動部材の下端部に配設され、包装材から取り出されるべき錠剤を前記孔部に向けて押圧する押圧部材とを備えている。
【００１３】
請求項６に記載の発明は、請求項３乃至請求項５のいずれかに記載の発明において、前記凸部の高さは０．３ｍｍ乃至１．０ｍｍとなっている。
【００１４】
【発明の実施の形態】
以下、この発明の実施の形態を図面に基づいて説明する。図１はこの発明に係る錠剤分割装置の正面図であり、図２はその側面図、また、図３はその平面図である。なお、図３（ａ）は錠剤分割装置全体の平面を示し、図３（ｂ）はそのテーブル部分の平面を示している。
【００１５】
この錠剤分割装置は、包装材１０に収納された錠剤Ｔを包装材１０から取り出すとともに、包装材１０から取り出した錠剤Ｔを半分に分割する、錠剤取り出し分割装置として機能するものであり、その上端に筒状部材２を備えた支持体３と、支持体３に対して軸１１を中心に回動可能に取り付けられた分割機構４と、筒状部材２に対して昇降可能に取り付けられた移動機構５と、支持体３の中央部付近に配設されたテーブル６とを備える。
【００１６】
図４は前記分割機構４の構成を示す説明図であり、図５は分割機構４による錠剤Ｔの分割動作を示す説明図である。なお、図４（ａ）は分割機構の平面図であり、図４（ｂ）はその側面図、また、図４（ｃ）はその正面図である。
【００１７】
これらの図において、符号Ｔ１は比較的小さな錠剤を示し、符号Ｔ２は比較的大きな錠剤を示している。この明細書において錠剤Ｔ１および錠剤Ｔ２を総称する場合には、単に「錠剤Ｔ」と呼ぶ。
【００１８】
これらの図に示すように、前記分割機構４は、金属板１３およびウレタンゴム等の弾性部材１４からなるベース部１２を備える。このベース部１２は、図２において実線で示すその先端を下方に向けて傾斜した錠剤投入姿勢と、図２において二点鎖線で示すその先端を上方に向けて傾斜した錠剤取り出し姿勢との間を、軸１１を中心として回動する構成となっている。また、このベース部１２の表面には、線状の凸部１５が配設されている。さらに、このベース部１２には、凸部１５が錠剤Ｔの略中央部に配置されるように錠剤Ｔを案内するための案内部材１６が配設されている。この案内部材１６は、ベース部１２の先端に近づく程互いに近接するとともに、線状の凸部１５に対して線対称となる形状を有する一対のテーパー面１７を備える。
【００１９】
また、前記分割機構４は、凸部１５上に載置された錠剤Ｔの左右両端部をベース部１２に向けて押圧するための押圧部２０を備える。この押圧部２０は、金属製のカバー１８と、このカバー１８の内面に配設されたウレタンゴム等の弾性部材１９から構成される。この押圧部２０は、図５において実線で示す凸部１５上に載置された錠剤Ｔから離隔した待機位置と、図５において二点鎖線で示す凸部１５上に載置された錠剤Ｔの左右両端部をベース部１２に向けて押圧する押圧位置との間を、軸１１を中心として回動する構成となっている。
【００２０】
再度、図１乃至図３を参照して、前記移動機構５は、分割機構４における押圧部２０を待機位置と押圧位置との間で移動させるためのものであり、支持体３における筒状部材２内を上下方向に移動可能な移動部材２１と、この移動部材２１の上端部に配設されたハンドル部材２２と、移動部材２１における上下方向の中央部付近において分割機構４における押圧部２０の先端付近と当接可能に配設された突起部材２３と、移動部材２１を上方に向けて付勢するバネ２４と、移動部材２１の下端部に配設された押圧部材２５とを備える。
【００２１】
前記テーブル６は、包装材１０に収納された錠剤Ｔを包装材１０から取り出す際に使用されるものである。図３（ｂ）に示すように、このテーブル６には、包装材１０から取り出されるべき最大の錠剤Ｔのサイズより大きな孔部２６が穿設されている。なお、図３（ｂ）に示すように、この錠剤分割装置を使用して包装材１０に収納されたカプセルＣを取り出す場合には、この孔部２６のサイズを、包装材１０から取り出されるべき最大のカプセルＣのサイズより大きくしておく必要がある。
【００２２】
次に、上述した錠剤分割装置を使用して錠剤Ｔを分割する分割動作について説明する。
【００２３】
この錠剤分割装置を使用して錠剤Ｔを分割する際には、最初に、錠剤Ｔを包装材１０から取り出す。この場合においては、図１および図２に示すように、包装材１０に収納された錠剤Ｔをテーブル６における孔部２６上に配置させる。そして、移動機構５におけるハンドル部材２２を下方に押圧する。これにより、移動部材２１の下端部に配設された押圧部材２５が、図１および図２において実線で示す位置から下降し、放送部材１０に収納された錠剤Ｔを押圧する。このため、包装部材１０に収納された錠剤Ｔは、包装部材１０から取り出された後、孔部２６を通過して下方に落下する。一方、押圧部材２５は、バネ２４の作用により、図１および図２において実線で示す位置まで上昇する。
【００２４】
次に、包装材１０より取り出した錠剤Ｔを分割する。錠剤Ｔを分割する際には、分割機構４を図２において実線で示す錠剤投入姿勢とした上で、分割すべき錠剤Ｔをベース部１２と押圧部２０との間に挿入する。このとき、ベース部１２と押圧部２０とは傾斜姿勢をとっていることから、その間に挿入された錠剤Ｔは、図４（ａ）に示すように、その端縁が案内部材１６における一対のテーパー面１７に当接する位置まで下降する。この状態においては、錠剤Ｔは、そのサイズにかかわらず、線状の凸部１５が錠剤Ｔの略中央部に配置された状態で、凸部１５上に載置される。
【００２５】
そして、移動機構５におけるハンドル部材２２を下方に押圧する。これにより、移動部材２１の中央部付近に付近に配設された突起部材２３が分割機構４における押圧部２０の先端付近と当接し、押圧部２０を押圧する。突起部材２３により押圧力を受けた押圧部２０は、図５において実線で示す待機位置から図５において二点鎖線で示す押圧位置に軸１１を中心として回動し、凸部１５上に載置された錠剤Ｔの左右両端部をベース部１２に向けて押圧する。これにより、凸部１５上に載置された錠剤Ｔは、線状の凸部１５を中心として半分に分割される。
【００２６】
このとき、錠剤Ｔはカッター等により切断されるのではなく、凸部１５を中心に折るようにして分割されることから、その切断部分において薬剤が粉状となるようなことはない。なお、このように錠剤Ｔを折るようにして分割するためには、線状の凸部１５の高さを０．３ｍｍ〜１．０ｍｍとすることが好ましい。
【００２７】
錠剤Ｔが分割されれば、分割機構４を図２において二点鎖線で示す錠剤取り出し姿勢とする。これにより、分割後の錠剤Ｔを、ベース部１２と押圧部２０との間から容易に取り出すことが可能となる。
【００２８】
なお、上述した実施形態においては、押圧部２０は錠剤Ｔの左右両端部のみを押圧しているが、この実施形態のように弾性部材１９を配設した場合等においては、錠剤Ｔの全面を押圧するようにしてもよい。
【００２９】
【発明の効果】
請求項１に記載の発明によれば、その先端を下方に向けて傾斜した錠剤投入姿勢とその先端を上方に向けて傾斜した錠剤取り出し姿勢との間を回動可能なベース部等の作用により、分割すべき錠剤の投入と分割後の錠剤の取り出しとを容易に実行することが可能となる。また、ベース部の先端に近づく程互いに近接するとともに線状の凸部に対して線対称となる形状を有する一対のテーパー面を備えた案内部材の作用により、錠剤のサイズにかかわらず、凸部を錠剤の略中央部に配置して錠剤を正確に半分に分割することが可能となる。そして、ベース部の表面に形成された線状の凸部を利用して錠剤を折るように分割することから、錠剤の一部を粉状にすることなく正確に分割することが可能となる。
【００３０】
請求項２に記載の発明によれば、ベース部および押圧部における錠剤と当接する部分に弾性部材が配設されることから、損傷等を生ずることなく錠剤を分割することが可能となる。
【００３１】
請求項３に記載の発明によれば、上下方向に移動可能な移動部材と、移動部材の上端部に配設されたハンドル部材と、移動部材における上下方向の中央部付近において、押圧部と当接可能に配設された突起部材と、移動部材を上方に向けて付勢する付勢部材とを備えることから、押圧部を容易に待機位置と押圧位置の間で移動させることが可能となる。
【００３２】
請求項４に記載の発明によれば、包装材に収納された錠剤を当該包装材から取り出すための錠剤取り出し機構をさらに備えることから、分割を行うべき錠剤を容易に包装材から取り出すことが可能となる。
【００３３】
請求項５に記載の発明によれば、錠剤取り出し機構は、包装材から取り出されるべき錠剤のサイズより大きな孔部が穿設されたテーブルと、移動部材の下端部に配設され、包装材から取り出されるべき錠剤を孔部に向けて押圧する押圧部材とを備えることから、錠剤を分割するための構成を利用して錠剤を包装材から取り出すことが可能となる。
【００３４】
請求項６に記載の発明によれば、凸部の高さが０．３ｍｍ乃至１．０ｍｍであることから、錠剤をより有効に分割することが可能となる。
【図面の簡単な説明】
【図１】この発明に係る錠剤分割装置の正面図である。
【図２】この発明に係る錠剤分割装置の側面図である。
【図３】この発明に係る錠剤分割装置の平面図である。
【図４】分割機構４の構成を示す説明図である。
【図５】分割機構４による錠剤Ｔの分割動作を示す説明図である。
【符号の説明】
２        筒状部材
３        支持体
４        分割機構
５        移動機構
６        テーブル
１０      包装材
１１      軸
１２      ベース部
１３      金属板
１４      弾性部材
１５      凸部
１６      案内部材
１７      テーパー面
１８      カバー
１９      弾性部材
２０      押圧部
２１      移動部材
２２      ハンドル部材
２３      突起部材
２４      バネ
２５      押圧部材
２６      孔部
Ｃ        カプセル
Ｔ        錠剤
【図１】
0003612522.tif 000002
【図２】
0003612522.tif 000003
【図３】
0003612522.tif 000004
【図４】
0003612522.tif 000005
【図５】
0003612522.tif 000006